(57)【要約】      （修正有）【課題】レンズケースに振動を加えても、レンズケースが、洗浄器本体の収容部内を移動したり、あるいは、洗浄器本体の収容部内で飛び跳ねたりなどしないコンタクトレンズ洗浄器具を提供する。【解決手段】コンタクトレンズ洗浄器具１０は、概略、洗浄器本体１２、洗浄器本体１２の上部に形成された凹状収容部１４、凹状収容部１４の内側に配設されている１組のレンズケース把持部材１６、及び、振動発生手段２０にて構成されている。レンズケース把持部材１６は、それぞれ略半円環形状をしており、凹状収容部１４の内側の両端部の位置に、凹湾曲面１６ａ1，１８ａ1を内側にして対向して配置されている。レンズケース把持部材１６の係止部３６，３８の上面は、緩衝部材５０，５２を間に挟んで、凹状収容部１４のストッパ部４０の下面に対向している。【選択図】図４
2013011876.tif 000002
【特許請求の範囲】
【請求項１】
洗浄器本体と、
前記洗浄器本体の上部に設けた、コンタクトレンズと洗浄液とを収容したレンズケースを収容するための凹状収容部と、
前記凹状収容部の内側に設けられ、前記凹状収容部内に収容された前記レンズケースを把持するレンズケース把持部材と、
前記凹状収容部内に収容された前記レンズケースに振動を与える振動発生手段と、
を備えたこと、を特徴とする、コンタクトレンズ洗浄器具。
【請求項２】
前記凹状収容部は平面視で長円形であり、前記レンズケース把持部材は１組の略半円管状把持部を形成され、前記略半円管状把持部は、それぞれ前記凹状収容部の内側の両端部において対向して配置されていること、を特徴とする、請求項１に記載のコンタクトレンズ洗浄器具。
【請求項３】
前記凹状収容部と前記レンズケース把持部材との間に設けられた、前記振動発生手段の振動が前記洗浄器本体に伝達されるのを防止するための緩衝部材をさらに備えたこと、を特徴とする、請求項１または請求項２に記載のコンタクトレンズ洗浄器具。
【請求項４】
前記凹状収容部の内側に設けたストッパ部と、前記レンズケース把持部材の外側に設けた係止部とが、垂直方向において、前記緩衝部材を間に配設して対向していること、を特徴とする、請求項３に記載のコンタクトレンズ洗浄器具。
【請求項５】
前記レンズケース把持部材の底部を一方の端部で付勢する弾性部材を備え、前記弾性部材の弾性力によって、前記レンズケース把持部材の係止部が、前記緩衝部材を介して、前記凹状収容部のストッパ部を押圧していること、を特徴とする、請求項４に記載のコンタクトレンズ洗浄器具。
【請求項６】
前記弾性部材は、長さ方向を有する弾性ばね、シリコンゴムからなり、長さ方向における上端で前記レンズケース把持部材を支持し、前記レンズケース把持部材と前記凹状収容部との間にギャップを有するように前記洗浄器本体に内装されていること、を特徴とする、請求項５に記載のコンタクトレンズ洗浄器具。
【請求項７】
前記弾性部材の他方の端部が、前記洗浄器本体の底部に設けた弾性足部材に圧接していること、を特徴とする、請求項５又は６に記載のコンタクトレンズ洗浄器具。
【請求項８】
前記振動発生手段を制御する制御回路手段をさらに備えたこと、を特徴とする、請求項１ないし請求項７のいずれかに記載のコンタクトレンズ洗浄器具。
【請求項９】
前記洗浄器本体の凹状収容部は、上方が開口され、水平状態に載置された前記レンズケースと垂直状にのびる前記レンズケース把持部材の平面視形状とを合わせた、前記レンズケース及び前記レンズケース把持部材を収容するために十分な底壁面積を有し、且つ、前記レンズケース把持部材の外側部分と、前記洗浄器本体の凹状収容部の内側部分との間に、前記レンズケース把持部材が振動しても両者の接触を防止できるだけのギャップを確保するように構成されている、ことを特徴とする、請求項１ないし請求項８のいずれかに記載のコンタクトレンズ洗浄器具。
【請求項１０】
前記レンズケース把持部材は、前記レンズケース把持部材の外側部分と、前記洗浄器本体の凹状収容部の内側部分との間に、前記レンズケース把持部材が振動しても両者の接触を防止できるだけのギャップを確保するように構成されている、ことを特徴とする、請求項１ないし請求項９のいずれかに記載のコンタクトレンズ洗浄器具。
【発明の詳細な説明】
【技術分野】
【０００１】
本発明は、コンタクトレンズの洗浄器具に関し、特に、例えばコンタクトレンズを殺菌、消毒及び洗浄をするためのコンタクトレンズ洗浄器具に関する。
【背景技術】
【０００２】
コンタクトレンズは、若い人を中心に、視力矯正のために広く使用されている。現在は、酸素透過性及び親水性に優れた、高精度のレンズ性能を有するコンタクトレンズが市販されている。それに伴って、コンタクトレンズ用の漬け置きタイプの洗浄液も、市場で数多く市販されている。
【０００３】
しかしながら、コンタクトレンズの装着に伴う眼障害も、多数発生している。その原因の１つは、不潔なコンタクトレンズやレンズケースを使用することである。本来、漬け置きタイプの洗浄液は、擦り洗いをすべきものである。これを怠ると、コンタクトレンズやレンズケースの洗浄が不十分となり、コンタクトレンズやレンズケースが汚染され、眼障害が発生する。この眼障害原因については、眼科学会、コンタクトレンズメーカ及び洗浄液メーカが、従来より、注意喚起している。しかし、洗浄作業の煩雑さのため、ユーザによるコンタクトレンズ洗浄が十分に行われず、眼障害の発生が続いている。
【０００４】
そこで、この問題を解消するために、例えば、特許文献１に記載のコンタクトレンズ保存装置が提案されている。このコンタクトレンズ保存装置は、コンタクトレンズと洗浄液とを収容したレンズケースに振動を加えて、洗浄液を振動させることによって、自動的にコンタクトレンズ表面の汚れを除去するものである。従って、ユーザ自身は、擦り洗いをする必要がなくなり、コンタクトレンズやレンズケースの洗浄を容易に行うことができる。
【先行技術文献】
【特許文献】
【０００５】
【特許文献１】特開平１０−３２５９４３号公報
【発明の概要】
【発明が解決しようとする課題】
【０００６】
しかしながら、特許文献１のコンタクトレンズ保存装置は、レンズケースを、単に、保存容器の収容部内に、把持することなく載置するだけである。従って、レンズケースに振動を加えると、レンズケースが、保存容器の収容部内を移動したり、あるいは、保存容器の収容部内で飛び跳ねたりするなどの心配があった。
【０００７】
それゆえに、本発明の目的は、レンズケースに振動を加えても、レンズケースが、洗浄器本体の収容部内を移動したり、あるいは、洗浄器本体の収容部内で飛び跳ねたりせず、市販の洗浄液に添付されている、あらゆるレンズケースに対応する、把持部に固定することにより、振動発生手段の振動をより確実に伝えることができる、コンタクトレンズ洗浄器具を提供することである。
【課題を解決するための手段】
【０００８】
本発明は、洗浄器本体と、
洗浄器本体の上部に設けた、コンタクトレンズと洗浄液とを収容したレンズケースを収容するための凹状収容部と、
凹状収容部の内側に設けられ、凹状収容部内に収容されたレンズケースを把持するレンズケース把持部材と、
凹状収容部内に収容されたレンズケースに振動を与える振動発生手段と、
を備えたこと、を特徴とする、コンタクトレンズ洗浄器具である。
【０００９】
本発明では、レンズケース把持部材が、レンズケースを確実に把持するため、振動発生手段によってレンズケースに振動を加えても、レンズケースが、洗浄器本体の収容部内を移動したり、あるいは、洗浄器本体の収容部内で飛び跳ねたりなどしない。
【００１０】
また、本発明は、凹状収容部は平面視で長円形であり、レンズケース把持部材は１組の略半円管状把持部を形成され、略半円管状把持部は、それぞれ凹状収容部の内側の両端部において対向して配置されていること、を特徴とする、コンタクトレンズ洗浄器具である。
【００１１】
本発明では、対向する１組の略半円管の内側の凹湾曲面にて、レンズケースを挟持するため、必要最小限の部材で効率良くレンズケースが把持される。
【００１２】
また、本発明は、凹状収容部とレンズケース把持部材との間に設けられた、振動発生手段の振動が洗浄器本体に伝達されるのを防止するための緩衝部材をさらに備えたこと、を特徴とする、コンタクトレンズ洗浄器具である。
【００１３】
本発明では、振動発生手段によってレンズケースに加えられた振動が、レンズケース把持部材に伝達されても、レンズケース把持部材と凹状収容部との間に設けられた緩衝部材が、この振動を吸収するため、振動が洗浄器本体に伝達されることを防止できる。
【００１４】
また、本発明は、凹状収容部の内側に設けたストッパ部と、レンズケース把持部材の外側に設けた係止部とが、垂直方向において、緩衝部材を間に配設して対向していること、を特徴とする、コンタクトレンズ洗浄器具である。
【００１５】
本発明では、ストッパ部と係止部との間に配設されている緩衝部材によって、レンズケース把持部材に伝達された振動が効率良く吸収され、振動が洗浄器本体に伝達されることを効率良く防止できる。
【００１６】
また、本発明は、レンズケース把持部材の底部を一方の端部で付勢する弾性部材を備え、弾性部材の弾性力によって、レンズケース把持部材の係止部が、緩衝部材を介して、凹状収容部のストッパ部を押圧していること、を特徴とする、コンタクトレンズ洗浄器具である。
【００１７】
本発明では、さらに弾性部材によっても、レンズケース把持部材に伝達された振動が吸収され、より一層、振動が洗浄器本体に伝達されることを防止できる。そして、弾性部材の弾性力によって、レンズケース把持部材の係止部が、緩衝部材を介して、凹状収容部のストッパ部を押圧しているため、レンズケース把持部材や緩衝部材の位置決めが確実に行われる。
【００１８】
また、本発明は、弾性部材は、長さ方向を有する弾性ばね、シリコンゴムからなり、長さ方向における上端でレンズケース把持部材を支持し、レンズケース把持部材と凹状収容部との間にギャップを有するように洗浄器本体に内装されていること、を特徴とする、コンタクトレンズ洗浄器具である。
【００１９】
また、本発明は、弾性部材の他方の端部が、洗浄器本体の底部に設けた弾性足部材に圧接していること、を特徴とする、コンタクトレンズ洗浄器具である。
【００２０】
本発明では、振動発生手段によって発生した振動が、弾性部材及び弾性足部材に吸収されるため、卓上に置いたコンタクトレンズ洗浄器具は、振動による移動ずれを生じない。
【００２１】
また、本発明は、振動発生手段を制御する制御回路手段をさらに備えたこと、を特徴とする、コンタクトレンズ洗浄器具である。
【００２２】
本発明では、タイマーなどの制御回路手段によって、コンタクトレンズ表面の汚れ除去が自動的に行われる。
【００２３】
また、本発明は、洗浄器本体の凹状収容部は、上方が開口され、水平状態に載置されたレンズケースと垂直状にのびるレンズケース把持部材の平面視形状とを合わせた、レンズケース及びレンズケース把持部材を収容するために十分な底壁面積を有し、且つ、レンズケース把持部材の外側部分と、洗浄器本体の凹状収容部の内側部分との間に、レンズケース把持部材が振動しても両者の接触を防止できるだけのギャップを確保するように構成されている、ことを特徴とする、コンタクトレンズ洗浄器具である。
【００２４】
また、本発明は、レンズケース把持部材は、レンズケース把持部材の外側部分と、洗浄器本体の凹状収容部の内側部分との間に、レンズケース把持部材が振動しても両者の接触を防止できるだけのギャップを確保するように構成されている、ことを特徴とする、コンタクトレンズ洗浄器具である。
【発明の効果】
【００２５】
本発明によれば、レンズケース把持部材が、レンズケースを確実に把持するので、レンズケースに振動を加えても、レンズケースが、洗浄器本体の収容部内を移動したり、あるいは、洗浄器本体の収容部内で飛び跳ねたりしないコンタクトレンズ洗浄器具が得られる。
【００２６】
この発明の上述の目的，その他の目的，特徴及び利点は、図面を参照して行う以下の発明を実施するための形態の説明から一層明らかとなろう。
【図面の簡単な説明】
【００２７】
【図１】本発明に係る一実施の形態のコンタクトレンズ洗浄器具を示す外観斜視図である。
【図２】コンタクトレンズ洗浄器具にレンズケースをセットした状態を示す一部切り欠き斜視図である。
【図３】コンタクトレンズ洗浄器具の平面図である。
【図４】図３のＡ−Ａ断面図である。
【図５】図４のＢ−Ｂ断面図である。
【図６】図４のＣ−Ｃ断面図である。
【図７】図４のＤ−Ｄ断面図である。
【図８】図１の図示コンタクトレンズ洗浄器具の変形例を示す断面図解図である。
【図９】本発明に係る一実施の形態のコンタクトレンズ洗浄器具の横断面図解図である。
【図１０】コンタクトレンズ洗浄器具を示す平面図解図である。
【図１１】コンタクトレンズ洗浄器の洗浄機本体を外した状態の平面図解図である。
【図１２】図１０Ａ−Ａ断面図である。
【図１３】図１０のＡ−Ａ断面分解図解図である。
【発明を実施するための形態】
【００２８】
図１は、コンタクトレンズ洗浄器具１０を示す外観斜視図である。図２は、コンタクトレンズ洗浄器具１０にレンズケース１をセットした状態を示す一部切り欠き斜視図である。図３はコンタクトレンズ洗浄器具１０の平面図であり、図４はその垂直断面図である。また、図５、図６及び図７は、それぞれ、図４のＢ−Ｂ断面図、Ｃ−Ｃ断面図及びＤ−Ｄ断面図である。
【００２９】
図１に示すように、コンタクトレンズ洗浄器具１０は、概略、洗浄器本体１２と、洗浄器本体１２の上部に形成された凹状収容部１４と、凹状収容部１４の内側に配設されている１組のレンズケース把持部材１６と、及び、振動発生手段２０とにより構成されている。
【００３０】
レンズケース１は、市販のソフトコンタクトレンズ洗浄液に添付されている周知のレンズケース１である。より具体的には、レンズケース１は、左右に分かれた平面視で略円形の有底円筒状の収容部２ａと収容部２ｂとを平面視円形状の収容部２ａ及び収容部２ｂの直径より短い幅の薄板状連結部２ｃにより連結してなるケース本体２を有している。更に、レンズケース１は、前記一方の収容部２ａを被蓋する蓋４ａと他方の収容部２ｂを被蓋する蓋４ｂとを有する。
一方の収容部２ａと他方の収容部２ｂとは、左右対称形であり、左右２つのソフトコンタクトレンズ６と洗浄液８とを収容するためのものである。洗浄液８には、界面活性剤などが含まれている。また、洗浄液８としては、洗浄の他に、殺菌や消毒を兼ねるものなどが適宜選択される。
【００３１】
洗浄器本体１２は略直方体形状であり、プラスチックの成形品などからなる。この洗浄器本体１２の上部に、広面積の凹状収容部１４が形成されている。
凹状収容部１４は、上方が開口され、平面視で長円形である。凹状収容部１４は、水平状態に載置されたレンズケース１と垂直状にのびるレンズケース把持部材１６の平面視形状とを合わせた、レンズケース１を収容するために十分な底壁面積を有する。
レンズケース１が水平状態に載置されるとは、蓋４ａ及び蓋４ｂを上にして、収容部２ａ及び収容部２ｂを水平面上に並置され且つ収容部２ａ及び収容部２ｂの開口部及び底部を略々水平に保たれた状態をいう。
【００３２】
凹状収容部１４の開口側端部には、開口の周囲にわたって、凹状収容部１４の内周側壁１４ａから内側方向に水平に延在した鍔状のストッパ部４０が形成されている。
ストッパ部４０の延在寸法（幅寸法）は、後で説明する緩衝部材５０（５２）の幅より大きい寸法に設定されている。
【００３３】
凹状収容部１４の底壁１４ｂの左右の端部には、それぞれ、レンズケース把持部材１６の足部１６ｃ及び足部１８ｃを収容するための位置決め用溝４２及び位置決め用溝４４が形成されている。
一方の位置決め用溝４２と他方の位置決め用溝４４とは、それぞれ、レンズケース把持部材１６の一方の足部１６ｃとレンズケース把持部材１６の他方の足部１８ｃの形状に合わせて、平面視で略半円環形状をしており、左右対称形に形成されている。
一方の位置決め用溝４２と他方の位置決め用溝４４とは、凹湾曲を内側にして対向して配設されている。位置決め用溝４２，４４の溝幅は、レンズケース把持部材１６の足部１６ｃ，１８ｃの幅より若干大きい寸法に設定されている。位置決め用溝４２，４４の深さは、レンズケース把持部材１６の足部１６ｃ，１８ｃの厚さより若干深い寸法に設定されている（図４参照）。
【００３４】
レンズケース把持部材１６は、それぞれ略半円管形状で左右対称形に形成された把持部１６ａ及び把持部１８ａを備えている。一方の把持部１６ａと他方の把持部１８ａとは、凹状収容部１４の内側の両端部の位置に、レンズケース把持部材１６の一方の把持部１６ａの凹湾曲面１６ａ1と他方の把持部１８ａの凹湾曲面１８ａ1とを内側にして、凹湾曲面１６ａ1と凹湾曲面１８ａ1とを対向して配置されている。
レンズケース把持部材１６は、凹状収容部１４内に収容されるレンズケース１を把持するためのものであり、適度の柔軟性を有する樹脂材で作成されている。
一方の把持部１６ａと他方の把持部１８ａとは、下部において、連接部１６ｂにより連結されている。
【００３５】
レンズケース把持部材１６の一方の把持部１６ａの下側端部には、凹湾曲面（内側面）１６ａ1から内側方向に水平に延在した足部１６ｃが形成されている。
レンズケース把持部材１６の他方の把持部１８ａの下側端部には、凹湾曲面（内側面）１８ａ1から内側方向に水平に延在した足部１８ｃが形成されている。
この実施の形態においては、一方の把持部１６ａは、一方の収容部２ａの連結部２ｃとは反対側の左側半分の外周縁形状に対応した把持領域を備えており、他方の把持部１８ａは、他方の収容部２ｂの連結部２ｃとは反対側の右側半分の外周縁形状に対応した把持領域を備えている。
一方の把持部１６ａと他方の把持部１８ａとの対向面の間に、収容部２ａ及び収容部２ｂが密嵌される。
この実施の形態においては、足部１６ｃと足部１８ｃとは、連接部１６ｂの一部分によって構成されている。
【００３６】
レンズケース把持部材１６の一方の把持部１６ａの凸湾曲面（外側面）１６ａ2には、その高さ方向の中央の位置に、外周にわたって、凸湾曲面（外側面）１６ａ2から外側方向に水平に延在した係止部３６が形成されている。
同様に、レンズケース把持部材１６の他方の把持部１８ａの凸湾曲面（外側面）１８ａ2には、その高さ方向の中央の位置に、外周にわたって、凸湾曲面（外側面）１８ａ2から外側方向に水平に延在した係止部３８が形成されている。
一方の足部１６ｃは、一方の収容部２ａの底部（底壁）の下方を保持するために必要な面積を有している。
他方の足部１８ｃは、他方の収容部２ｂの底部（底壁）の下方を保持するために必要な面積を有している。
この実施の形態においては、一方の足部１６ｃは、一方の収容部２ａの連結部２ｃとは反対側の左側半分の底部の外周縁形状に対応した平面視半円環状で、上面及び下面のいずれも平面である。足部１６ｃは、一方の収容部２ａ及び他方の収容部２ｂを安定した状態で保持できるように、構成されている。
他方の足部１８ｃは、他方の収容部２ｂの連結部２ｃとは反対側の右側半分の底部の外周縁形状に対応した平面視半円環状で、上面及び下面のいずれも平面である。足部１８ｃは、他方の収容部２ｂ及び一方の収容部２ａを安定した状態で保持できるように、構成されている。
【００３７】
一方の係止部３６及び他方の係止部３８の上面には、それぞれ、シリコンゴムやウレタンなどからなる緩衝部材５０及び緩衝部材５２が載置されている。
一方の緩衝部材５０と他方の緩衝部材５２とは、左右対称形であり、同一の高さ位置において一方の係止部３６及び他方の係止部３８と接している。
緩衝部材５０及び緩衝部材５２は、後述の振動発生手段２０によって発生した振動が、洗浄器本体１２に伝達されることを防止するためのものである。
さらに、一方の係止部３６の上面は、垂直方向において、緩衝部材５０を間に挟んで、凹状収容部１４のストッパ部４０の下面に対向している。同様に、他方の係止部３８の上面は、垂直方向において、緩衝部材５２を間に挟んで、凹状収容部１４のストッパ部４０の下面に対向している。
そして、一方の緩衝部材５０は、一方の係止部３６と一方のストッパ部４０との対向面の間に介在され、他方の緩衝部材５２は、他方の係止部３８と他方のストッパ部４０との対向面の間に介在されている。
【００３８】
図５に示すように、一方の緩衝部材５０は、一方の係止部３６の形状に合わせて、平面視で略半円環形状をしている。緩衝部材５０の幅は、一方の係止部３６の上面の幅寸法より小さい寸法に設定されている。緩衝部材５０の高さは、一方の係止部３６の上面と凹状収容部１４のストッパ部４０の下面との間の距離より若干大きい寸法に設定されている。
同様に、他方の緩衝部材５２は、他方の係止部３８の形状に合わせて、平面視で略半円環形状をしている。緩衝部材５２の幅は、他方の係止部３８の上面の幅寸法より小さい寸法に設定されている。
他方の緩衝部材５２の高さは、他方の係止部３８の上面と凹状収容部１４のストッパ部４０の下面との間の距離より若干大きい寸法に設定されている。
なお、本実施形態の場合、緩衝部材５０，５２は、横断面が矩形であるけれども（図４参照）、必ずしもこれに限定されるものではなく、仕様によっては、横断面が円形のものなどが使用される。
【００３９】
レンズケース把持部材１６の一方の足部１６ｃは、凹状収容部１４の一方の位置決め用溝４２に嵌挿されている。また、レンズケース把持部材１６の他方の足部１８ｃは、凹状収容部１４の他方の位置決め用溝４４に嵌挿されている。これによって、レンズケース把持部材１６の把持部１６ａと把持部１８ａとの間の距離が決まり、レンズケース把持部材１６の把持部１６ａの凹湾曲面１６ａ1とレンズケース把持部材１６の凹湾曲面１８ａ1との間の距離が、レンズケース１の長さより若干小さい寸法に設定されている。
また、凹湾曲面１６ａ1，１８ａ1の内周径は、レンズケース１の略円形の収容部２ａ，２ｂの外周径と同一か外周縁より若干小さい寸法に設定されている。この結果、レンズケース把持部材１６は、対向する１対の凹湾曲面１６ａ1と凹湾曲面１８ａ1とによりレンズケース１を挟持することができ、レンズケース１を必要最小限の部材で効率良く、かつ、確実に把持することができる。
【００４０】
一方、レンズケース把持部材１６の上端は開放端（自由端）であるため、レンズケース把持部材１６は、いわゆる片持ち梁のような状態に近く、レンズケース把持部材１６の上部側は水平振動自在である。この結果、後で説明するように、振動発生手段２０の駆動によって、凹状収容部１４内に収容されたレンズケース１と共に、レンズケース把持部材１６の上側部を水平振動させることができる。
【００４１】
このとき、レンズケース把持部材１６の把持部１６ａの凸湾曲面（外側面）１６ａ2の上側部分と、洗浄器本体１２の上側部分との間には、振動しても両者の接触を防止できるだけの十分な寸法を有するギャップが確保されている。
より具体的には、凹状収容部１４のストッパ部４０の先端面４０ａとレンズケース把持部材１６の把持部１６ａの凸湾曲面（外側面）１６ａ2との間に形成されたギャップＳ１、並びに、レンズケース把持部材１６の係止部３６の先端面３６ａと凹状収容部１４の内周側壁１４ａとの間に形成されたギャップＳ２は、レンズケース把持部材１６が振動しても、レンズケース把持部材１６と凹状収容部１４の内周側壁１４ａとの接触を防止できるだけの寸法に設定されている。
【００４２】
同様に、レンズケース把持部材１６の把持部１８ａの凸湾曲面（外側面）１８ａ2の上側部分と、洗浄器本体１２の上側部分との間には、振動しても両者の接触を防止できるだけの十分な寸法を有するギャップが確保されている。
より具体的には、凹状収容部１４のストッパ部４０の先端面４０ａとレンズケース把持部材１６の把持部１８ａの凸湾曲面（外側面）１８ａ2との間に形成されたギャップＳ１、並びに、レンズケース把持部材１６の係止部３８の先端面３８ａと凹状収容部１４の内周側壁１４ａとの間に形成されたギャップＳ２は、レンズケース把持部材１６が振動しても、レンズケース把持部材１６と凹状収容部１４の内周側壁１４ａとの接触を防止できるだけの寸法に設定されている。
【００４３】
レンズケース把持部材１６の把持部１６ａの凸湾曲面（外側面）１６ａ2の外側部分と、洗浄器本体１２の位置決め用溝４２の内側部分との間には、振動しても両者の接触を防止できるだけの十分な寸法を有するギャップが確保されている。又、レンズケース把持部材１６の連接部１６ｂの底面と洗浄器本体１２の底壁１４ｂとの間には、振動しても両者の接触を防止できるだけの十分な寸法を有するギャップが確保されている。
より具体的には、洗浄器本体１２の位置決め用溝４２の内側面とレンズケース把持部材１６の把持部１６ａの凸湾曲面（外側面）１６ａ2との間に形成されたギャップＳ３、並びに、レンズケース把持部材１６の一方の足部１６ｃ及び連接部１６ｂの下端面と凹状収容部１４の一方の位置決め用溝４２及び底壁１４ｂの上面との間に形成されたギャップＳ４は、レンズケース把持部材１６が振動しても、レンズケース把持部材１６と凹状収容部１４の内周側壁１４ａとの接触を防止できるだけの寸法に設定されている。
同様に、レンズケース把持部材１６の把持部１８ａの凸湾曲面（外側面）１８ａ2の外側部分と、洗浄器本体１２の位置決め用溝４４の内側部分との間には、振動しても両者の接触を防止できるだけの十分な寸法を有するギャップが確保されている。
より具体的には、洗浄器本体１２の位置決め用溝４４の内側面とレンズケース把持部材１６の把持部１８ａの凸湾曲面（外側面）１８ａ2との間に形成されたギャップＳ３、並びに、レンズケース把持部材１６の他方の足部１８ｃ及び連接部１６ｂの下端面と凹状収容部１４の他方の位置決め用溝４４及び底壁１４ｂの上面との間に形成されたギャップＳ４は、レンズケース把持部材１６が振動しても、レンズケース把持部材１６と凹状収容部１４の内周側壁１４ａとの接触を防止できるだけの寸法に設定されている。
【００４４】
さらに、洗浄器本体１２内には、一方の位置決め用溝４２から洗浄器本体１２の底面に到る貫通穴４５，４６と、他方の位置決め用溝４４から洗浄器本体１２の底面に到る貫通穴４７，４８とが形成されている。図３及び図５に示すように、複数個形成された貫通穴４５，４６は、平面視で、略半円環形状の一方の位置決め用溝４２の周方向にバランス良く配置されている。貫通穴４５，４６は横断面が円形であり、その直径は、一方の位置決め用溝４２の溝幅と等しい寸法、すなわち、レンズケース把持部材１６の一方の足部１６ｃの幅より若干大きい寸法に設定されている。
同様に、複数個形成された貫通穴４７，４８も、平面視で、略半円環形状の他方の位置決め用溝４４の周方向にバランス良く配置されている。貫通穴４７，４８は横断面が円形であり、その直径は、他方の位置決め用溝４４の溝幅と等しい寸法、すなわち、レンズケース把持部材１６の他方の足部１８ｃの幅より若干大きい寸法に設定されている。
【００４５】
これら４個の貫通穴４５，４６，４７，４８のそれぞれには、図４及び図７に示すように、弾性ばね６０ａ，６０ｂ，６０ｃ，６０ｄが軸方向に挿通され、圧縮された状態で装填されている。弾性ばね６０ａ〜６０ｄは、それぞれ、横断面が円形であり、その直径は貫通穴４５〜４８の直径より若干小さい寸法の圧縮コイルばねであり、内装できるように構成されている。弾性ばね６０ａ〜６０ｄは、長さ方向を有し、その長さは、貫通穴４５〜４８の長さより長くてギャップＳ４を生じさせる寸法、すなわち装填された弾性ばね６０ａ〜６０ｄが位置決め用溝４２及び位置決め用溝４４の上面より若干突き出る寸法に設定されている。
【００４６】
一方の弾性ばね６０ａ，６０ｂは、その上端がレンズケース把持部材１６の一方の足部１６ｃの底面に圧接し、レンズケース把持部材１６を付勢している。
同様に、他方の弾性ばね６０ｃ，６０ｄは、その上端がレンズケース把持部材１６の他方の足部１８ｃの底面に圧接し、レンズケース把持部材１６を付勢している。
一方の弾性ばね６０ａ，６０ｂと他方の弾性ばね６０ｃ，６０ｄとは、弾力、個数等が同じであり、一方の弾性ばね６０ｃと他方の足部１８ｃとを左右均等に付勢するように構成されている。
【００４７】
これによって、レンズケース把持部材１６の係止部３６の上面が、弾性ばね６０ａ，６０ｂの圧縮ばね力によって、緩衝部材５０を介して、凹状収容部１４のストッパ部４０の下面を押圧している。従って、レンズケース把持部材１６及び緩衝部材５０の位置決めが確実となる。同様に、レンズケース把持部材１６の係止部３８の上面が、弾性ばね６０ｃ，６０ｄの圧縮ばね力によって、緩衝部材５２を介して、凹状収容部１４のストッパ部４０の下面を押圧している。従って、レンズケース把持部材１６及び緩衝部材５２の位置決めが確実となる。ストッパ部４０があるため、レンズケース把持部材１６は、弾性ばね６０ａ〜６０ｄの圧縮ばね力によって付勢されても、洗浄器本体１２から飛び出さない。
【００４８】
弾性ばね６０ａ〜６０ｄの下端は、それぞれ、洗浄器本体１２の底部に配設されている弾性足部材６２に圧接されている（図４参照、ただし、図４において、４個の弾性足部材６２のうち２個は表示せず）。弾性足部材６２は、洗浄器本体１２の底部に螺着、ネジ留め、接着などの方法によって装着されている。弾性足部材６２の材料としては、シリコンゴムやウレタンなどが使用される。
【００４９】
従って、レンズケース把持部材１６は、緩衝部材５０，５２、弾性ばね６０ａ〜６０ｄ、及び、４個の弾性足部材６２によって、いわゆる洗浄器本体１２から浮き上がったような状態となる。その結果、振動発生手段２０によって発生したレンズケース把持部材１６及びレンズケース１の振動が、洗浄器本体１２に伝わり難い構造が得られる。
【００５０】
振動発生手段２０は、レンズケース把持部材１６の連接部１６ｂの中央に形成された振動発生手段支持部１６ｄに配設され、振動発生手段支持部１６ｄの上面に略均等の接触面積で直接に接触するように構成されている。振動発生手段２０は、回転駆動軸を偏心させるなどした振動直流モータ（例えば、ミネベアモータ株式会社製、型式：ＫＨＮ４ＮＸ）からなる。振動直流モータ２０は、例えば、９２００〜１１０００ｒｐｍの回転数で駆動することによって、凹状収容部１４内に収容されたレンズケース１に略均等に振動を与え、レンズケース１を振動させる。
従って、レンズケース把持部材１６の振動発生手段支持部１６ｄに固定された振動発生手段２０は、緩衝部材５０，５２、弾性ばね６０ａ〜６０ｄ、及び、４個の弾性足部材６２によって、いわゆる洗浄器本体１２から浮き上がったような状態となる。その結果、振動発生手段２０によって発生したレンズケース把持部材１６及びレンズケース１の振動が、洗浄器本体１２に伝わり難い構造が得られる。
【００５１】
図４に示すように、洗浄器本体１２の下部には、振動直流モータ２０を駆動させるための電池２２が配設されている。振動直流モータ２０と電池２２との間には、振動直流モータ２０を制御する制御回路手段が電気的に接続されている。制御回路手段は、洗浄器本体１２の上面に配設されているスイッチ３０と、洗浄器本体１２の内部に配設されているタイマー回路（図示せず）とを含む。タイマー回路は、スイッチ３０を手動でＯＮ側へ移動させることによって、振動直流モータ２０を所定時間（数分間〜数十分間）駆動させる。これによって、コンタクトレンズ６の表面の汚れ除去が自動的に行われる。あるいは、タイマー回路は、レンズケース１を凹状収容部１４内にセットすると、それがトリガーとなって自動的にＯＮ状態になるように構成されていてもよい。このように、コンタクトレンズ洗浄器具１０は、小型軽量の電池式装置であるので、携帯が可能である。
【００５２】
次に、以上の構成からなるコンタクトレンズ洗浄器具１０の作用効果を説明する。
洗浄液８とコンタクトレンズ６を入れたレンズケース１は、コンタクトレンズ洗浄器具１０の凹状収容部１４に、水平状態に載置される。すなわち、蓋４ａ及び蓋４ｂを上にして、収容部２ａ及び収容部２ｂを水平面上に並置され且つ収容部２ａ及び収容部２ｂの開口部及び底部を略々水平に保たれた状態においてセットされる。
このとき、レンズケース把持部材１６は、適度の柔軟性を有しているので、把持部１６ａと把持部１８ａとの間にレンズケース１を挿入することに伴って、レンズケース把持部材１６の把持部１６ａと把持部１８ａとの間隔、及び、レンズケース把持部材１６の把持部１６ａ及び把持部１８ａの凹湾曲面（内側面）１６ａ1及び凹湾曲面（内側面）１８ａ1の上側部分が若干広がり、レンズケース１が円滑に挿入される。そして、レンズケース１は、その左右両側部が凹湾曲面（内側面）１６ａ1及び凹湾曲面（内側面）１８ａ1の上側部分に接触した状態で、レンズケース把持部材１６によって確実に把持される。
【００５３】
次に、コンタクトレンズ洗浄器具１０上のスイッチ３０がＯＮされると、タイマー回路によって振動直流モータ２０が所定時間駆動される。振動直流モータ２０によって発生した振動は、凹状収容部１４内に収容されたレンズケース１を水平振動させる。洗浄液８は、振動することによって、コンタクトレンズ６の表面に微細な衝突を繰り返し、コンタクトレンズ６の表面に付着した汚れ（油脂成分やたんぱく質成分など）を除去する。すなわち、コンタクトレンズ６は擦り洗いされる。このとき、レンズケース１はレンズケース把持部材１６によって確実に把持されているため、レンズケース１が、洗浄器本体１２の凹状収容部１４の内部を移動したり、あるいは、凹状収容部１４の内部で飛び跳ねたりなどしない。そして、振動直流モータ２０の振動が、効率良くレンズケース１（すなわち、洗浄液８）に伝わるので、洗浄効果が増大する。
【００５４】
ここで、レンズケース１は、レンズケース把持部材１６の一方の把持部１６ａ及び他方の把持部１８ａの上側部分によって、一方の収容部２ａ及び他方の収容部２ｂを確実に把持されている。そのため、レンズケース１の振動は、レンズケース把持部材１６の把持部１６ａ及び把持部１８ａの上側部分の同調振動をもたらす。
しかも、レンズケース把持部材１６の係止部３６，３８と凹状収容部１４のストッパ部４０との間に配設している緩衝部材５０，５２によって、レンズケース把持部材１６の把持部１６ａ及び把持部１８ａの上側部分の振動は、効率良く吸収できる。さらに、弾性ばね６０ａ〜６０ｄによっても、レンズケース把持部材１６に伝達された振動が吸収され、より一層、振動が洗浄器本体１２に伝達されることを防止できる。
【００５５】
一方、レンズケース把持部材１６の足部１６ｃ，１８ｃは、それぞれ、凹状収容部１４の底壁１４ｂに形成された位置決め用溝４２，４４によって位置決めされている。このため、レンズケース把持部材１６は、足部１６ｃ，１８ｃを支点した片持ち梁振動のような動作をする。このとき、レンズケース把持部材１６の把持部１６ａ及び把持部１８ａの凸湾曲面（外側面）１６ａ2，１８ａ2の上側部分と、洗浄器本体１２の上側部分との間には、振動しても両者の接触を防止できるだけの十分な寸法を有するギャップＳ１，Ｓ２が確保されているので、両者は接触しない。レンズケース把持部材１６の把持部１６ａ及び把持部１８ａの外側と位置決め用溝４２及び位置決め用溝４４の内側面との間並びにレンズケース把持部材１６の連接部１６ｂと凹状収容部１４の底壁１４ｂとの間には、振動しても両者の接触を防止できるだけの十分な寸法を有するギャップＳ３，Ｓ４が確保されている。
この結果、振動直流モータ２０によって発生した振動が洗浄器本体１２に伝わらないので、コンタクトレンズ洗浄器具１０の振動を防止できる。
しかも、振動直流モータ２０によって発生した振動が、弾性ばね６０ａ〜６０ｄ及び弾性足部材６２に吸収されるため、卓上に置いたコンタクトレンズ洗浄器具１０は、振動による移動ずれを生じない。
【００５６】
次に、レンズケース１は、所定時間の振動の後、振動直流モータ２０の停止によって静止し、数時間（例えば４時間以上）放置される。この間、コンタクトレンズ６は、洗浄液８に浸漬された状態である。こうして、コンタクトレンズ６の表面は洗浄される。レンズケース１は、定期的に新しいものに交換することができ、レンズケース１の経年汚染による洗浄不十分も発生しない。
【００５７】
なお、この発明は、前記実施の形態に限定されるものではなく、その要旨の範囲内で種々に変形される。
例えば、凹状収容部１４は、上方が開口され、水平状態に載置されたレンズケース１と垂直状にのびるレンズケース把持部材１６の平面視形状とを合わせた、レンズケース１及びレンズケース把持部材１６を収容するために十分な底壁面積を有し、且つ、レンズケース把持部材１６の外側部分と、洗浄器本体１２の凹状収容部１４の内側部分との間に、レンズケース把持部材１６が振動しても両者の接触を防止できるだけのギャップを確保するように構成されているならば、内周側壁１４ａ，底壁１４ｂ，位置決め用溝４２及び位置決め用溝４４の形状は、変更されてもよい。
例えば、レンズケース把持部材１６は、レンズケース把持部材１６の外側部分と、洗浄器本体１２の凹状収容部１４の内側部分との間に、レンズケース把持部材１６が振動しても両者の接触を防止できるだけのギャップを確保するように構成されているならば、把持部１６ａ，把持部１８ａ，連接部１６ｂ，足部１６ｃ，足部１８ｃ，振動発生手段支持部１６ｄの形状は、変更されてもよい。
また、例えば、図８に示すように、緩衝部材５０及び緩衝部材５２は、円筒状のシリコンゴムで構成してもよい。
また、例えば、洗浄液８としては、ソフトコンタクトレンズ用洗浄液の他に、ハードコンタクトレンズ用洗浄液を使用してもよい。この場合は、コンタクトレンズ洗浄器具１０は、ハードコンタクトレンズ用洗浄機として使用できる。
【００５８】
図９は、本発明に係る一実施の形態のコンタクトレンズ洗浄器具の横断面図解図である。
このコンタクトレンズ洗浄器具は、レンズケース１が種々のものが存在していることに対応できるように構成されている。
このコンタクトレンズ洗浄器具１０は、概略、洗浄器本体１２と、洗浄器本体１２の上部に形成された凹状収容部１４と、凹状収容部１４の内側に配設されている１組のレンズケース把持部材１６と、及び、振動発生手段１２０とにより構成されている。
振動発生手段１２０は、レンズケース１の底部に直接接し合わない形状の偏心モータである。而して、レンズケース１の底部の形状が、どのような形状であっても、振動発生手段１２０により発生した振動はレンズケース１に伝播される。
偏心モータは、例えば、モータの回転軸に、中心をはずした（偏心した）金属製の重りがつけられ、小刻みな振動を発生させる。
【００５９】
この実施の形態においては、洗浄器本体１２，凹状収容部１４，レンズケース把持部材１６は、前記の実施の形態と略々同じ構成を備えており、これらについての説明は省略する。
振動発生手段１２０の回転により発生した振動は、底壁１４ｂを通して、把持部１６ａ及び把持部１８ａに伝わる。
そして、レンズケース把持部材１６の上端は開放端（自由端）であるため、レンズケース把持部材１６は、いわゆる片持ち梁のような状態に近く、レンズケース把持部材１６の上部側は水平振動自在である。振動発生手段１２０の駆動によって、レンズケース把持部材１６の上側部を水平振動し、凹状収容部１４内に収容されたレンズケース１が振動する。
【００６０】
振動直流モータ１２０によって発生した振動は、凹状収容部１４内に収容されたレンズケース１を水平振動させる。洗浄液８は、振動することによって、コンタクトレンズ６の表面に微細な衝突を繰り返し、コンタクトレンズ６の表面に付着した汚れ（油脂成分やたんぱく質成分など）を除去する。すなわち、コンタクトレンズ６は擦り洗いされる。
【００６１】
図１０ないし図１２は、別の実施の形態の図である。
【００６２】
図１０は、コンタクトレンズ洗浄器具２１０を示す平面図解図である。図１１はコンタクトレンズ洗浄器具の洗浄機本体を外した状態の平面図解図であり、図１２はその図１０Ａ−Ａ断面図である。また、図１３は、図１０のＡ−Ａ断面分解図解図である。
【００６３】
図１０ないし図１２に示すように、コンタクトレンズ洗浄器具２１０は、概略、洗浄器本体２１２と、洗浄器本体２１２の上部に形成された凹状収容部２１４と、凹状収容部２１４の内側に配設されている１組のレンズケース把持部材２１６と、及び、振動発生手段２２０とにより構成されている。
【００６４】
レンズケース１は、市販のソフトコンタクトレンズ洗浄液に添付されている周知のレンズケース１である。より具体的には、レンズケース１は、左右に分かれた平面視で略円形の有底円筒状の収容部２ａと収容部２ｂとを平面視円形状の収容部２ａ及び収容部２ｂの直径より短い幅の薄板状連結部２ｃにより連結してなるケース本体２を有している。更に、レンズケース１は、前記一方の収容部２ａを被蓋する蓋４ａと他方の収容部２ｂを被蓋する蓋４ｂとを有する。
一方の収容部２ａと他方の収容部２ｂとは、左右対称形であり、左右２つのソフトコンタクトレンズ６と洗浄液８とを収容するためのものである。洗浄液８には、界面活性剤などが含まれている。また、洗浄液８としては、洗浄の他に、殺菌や消毒を兼ねるものなどが適宜選択される。
【００６５】
洗浄器本体２１２は略直方体形状であり、プラスチックの成形品などからなる。この洗浄器本体２１２は、その上面が開口されている。洗浄器本体２１２の開口部２１２ａの内側に、広面積の凹状収容部２１４が形成されている。開口部２１２ａは、手前側と向こう側とにおいて対面するように、レンズケース１を例えば親指と人差し指とによって把持するための凹みを形成されている。
【００６６】
洗浄器本体２１２は、下部に、底板２７０が固定されている。底板２７０は、洗浄機本体２１２の下端縁に沿った形状の平面視略方形状である。
洗浄器本体２１２と底板２７０との間、より具体的には洗浄器本体２１２の開口部２１２ａの外側の近傍と底板２７０の上面との間に、洗浄機本体２１２の下面からのびた取付シャフト２７２が架け渡されている。
取付シャフト２７２は、洗浄機本体２１２の内側において、右側に形成された前後一対の第１シャフト２７２ａ及び第２シャフト２７２ｂと左側に形成された第３シャフト２７２ｃとを有している。
底板２７０は、嵌合溝２７４が穿設されており、取付ボルト２７６を嵌合溝２７４に嵌挿して取り付けシャフト２７２の中央に形成されたねじ孔に螺合されて、洗浄機本体２１２に底板２７０を固定される。
洗浄器本体２１２の下端縁に突設された嵌合突起２１４ｃ，嵌合突起２１４ｄ，嵌合突起２１４ｅ及び嵌合突起２１４ｆは、底板２７０の外周縁に沿って形成された、嵌合溝２７４に嵌合されている。
嵌合溝２７４は、底板２７０の前側の第１嵌合溝２７４ａと底板２７０の後側の第２嵌合溝２７４ｂと底板２７０の右側の第３嵌合溝２７４ｃと、底板２７０の左側の第４嵌合溝２７４ｄとを備えている。
底板２７０は、その下面に、４個の弾性足部材２６２が、４隅において等間隔をおいて、突設されている。
【００６７】
凹状収容部２１４は、上方が開口され、平面視略楕円形である。凹状収容部２１４は、水平状態に載置されたレンズケース１と垂直状にのびるレンズケース把持部材２１６の平面視形状とを合わせた、レンズケース１を収容するために十分な底壁面積を有する。
レンズケース把持部材２１６は、連接部２１６ｂを構成するワークステーション２１６Ａを有しており、ワークステーション２１６Ａは、洗浄器本体２１２の開口部２１２ａより広い平面視長方形の長方体状である。
ワークステーション２１６Ａは、その上部に把持部２１６ａ及び把持部２１８ａが上方に向けて突設されている。把持部２１６ａ及び把持部２１８ａは、ワークステーション２１６Ａと一体形成されている。把持部２１６ａと把持部２１８ａとは、同じ高さで、把持領域などを含めた全体の形状が対称性を有している。
レンズケース把持部材２１６は、レンズケース１を水平状態に保つために、ワークステーション２１６Ａが凹状収容部２１４内において取り付けられ、又、ワークステーション２１６Ａより垂設された把持部２１６ａ及び把持部２１８ａは凹状収容部２１４内において同じ高さ位置において取り付けられている。
【００６８】
レンズケース１が水平状態に載置されるとは、蓋４ａ及び蓋４ｂを上にして、収容部２ａ及び収容部２ｂを水平面上に並置され且つ収容部２ａ及び収容部２ｂの開口部及び底部を略々水平に保たれた状態をいう。
【００６９】
凹状収容部２１４の開口側端部には、開口の周囲にわたって、凹状収容部２１４の内周側壁２１４ａから外側方向に水平に延在した鍔状のストッパ部２４０が形成されている。
ストッパ部２４０の延在寸法（幅寸法）は、後で説明する緩衝部材２５０（２５２）の幅より大きい寸法に設定されている。
【００７０】
凹状収容部２１４のワークステーション２１６Ａの左右の端部には、それぞれ、一方の位置決め部材２６０ａ並びに位置決め部材２６０ｂを収容するための一方の位置決め用溝２４１並びに位置決め用溝２４２及び他方の位置決め部材２６０ｃ並びに位置決め部材２６０ｄを収容するための他方の位置決め用溝２４３並びに位置決め用溝２４４が形成されている。
一方の位置決め用溝２４１及び位置決め用溝２４２は、それぞれ一方の位置決め部材２６０ａ及び位置決め部材２６０ｂの形状に合わせて、平面視で略半円環形状をしている。他方の位置決め用溝２４３並びに位置決め用溝２４４は、それぞれ、他方の位置決め部材２６０ｃ及び位置決め部材２６０ｄの形状に合わせて、平面視で略半円環形状をしている。位置決め部材２６０ａと位置決め部材２６０ｃとは、左右対称に形成され、位置決め部材２６０ｂと位置決め部材２６０ｄとは、左右対称形に形成されている。
一方の位置決め用溝２４１並びに位置決め用溝２４２と他方の位置決め用溝２４３並びに位置決め用溝２４４とは、凹湾曲を内側にして対向して配設されている。位置決め用溝２４１，２４２，２４３及び２４４の溝幅は、位置決め部材２６０ａ，２６０ｂ，２６０ｃ，及び２６０ｄの外形と略々同じ寸法に設定されている。位置決め用溝２４１，２４２，２４３及び２４４の深さは、位置決め部材２６０ａ，２６０ｂ，２６０ｃ，及び２６０ｄの上部を嵌合するに適する深い寸法に設定されている（図１３参照）。
【００７１】
レンズケース把持部材２１６は、それぞれ略半円管形状で左右対称形に形成された把持部２１６ａと把持部２１８ａとを備えている。一方の把持部２１６ａと他方の把持部２１８ａとは、凹状収容部２１４の内側の両端部の位置に、レンズケース把持部材２１６の一方の把持部２１６ａの凹湾曲面２１６ａ1と他方の把持部２１８ａの凹湾曲面２１８ａ1とを内側にして、凹湾曲面２１６ａ1と凹湾曲面２１８ａ1とを対向して配置されている。
レンズケース把持部材２１６は、凹状収容部２１４内に収容されるレンズケース１を把持するためのものであり、適度の柔軟性を有する樹脂材で作成されている。
一方の把持部２１６ａと他方の把持部２１８ａとは、下部において、ワークステーション２１６Ａにより連結されている。
【００７２】
この実施の形態においては、一方の把持部２１６ａは、一方の収容部２ａの連結部２ｃとは反対側の左側半分の外周縁形状に対応した把持領域を備えており、他方の把持部２１８ａは、他方の収容部２ｂの連結部２ｃとは反対側の右側半分の外周縁形状に対応した把持領域を備えている。
一方の把持部２１６ａと他方の把持部２１８ａとの対向面の間に、レンズケース１の収容部２ａ及び収容部２ｂが密嵌される。
【００７３】
レンズケース把持部材２１６の一方の把持部２１６ａの凸湾曲面（外側面）２１６ａ2には、その高さ方向の中央の位置に、外周にわたって、凸湾曲面（外側面）２１６ａ2から外側方向に水平に延在した、一方の係止部２３６が形成されている。
同様に、レンズケース把持部材２１６の他方の把持部２１８ａの凸湾曲面（外側面）２１８ａ2には、その高さ方向の中央の位置に、外周にわたって、凸湾曲面（外側面）２１８ａ2から外側方向に水平に延在した、他方の係止部２３８が形成されている。
【００７４】
ストッパ部２４０は、把持部２１６ａ及び把持部２１８ａの外側の下面においてそれぞれ、シリコンゴムやウレタンなどからなる緩衝部材２５０及び緩衝部材２５２が設けられている。
一方の緩衝部材２５０と他方の緩衝部材２５２とは、左右対称性を有しており、同一の高さ位置において把持部２１６ａの左側端部に形成された一方の係止部２３６及び把持部２１８ａの右側端部に形成された他方の係止部２３８と接している。
緩衝部材２５０及び緩衝部材２５２は、後述の振動発生手段２２０によって発生した振動が、洗浄器本体２１２に伝達されることを防止するためのものである。
さらに、一方の係止部２３６の上面は、垂直方向において、緩衝部材２５０を間に挟んで、凹状収容部２１４のストッパ部２４０の下面に対向している。同様に、他方の係止部２３８の上面は、垂直方向において、緩衝部材２５２を間に挟んで、凹状収容部２１４のストッパ部２４０の下面に対向している。
この実施の形態においては、一方の緩衝部材２５０は、手前側の第１緩衝部材２５０ａと向こう側の第２緩衝部材２５０ｂとに分かれており、第１緩衝部材２５０ａと第２緩衝部材２５０ｂとは、上下対称性を有している。第１緩衝部材２５０ａ及び第２緩衝部材２５０ｂは、ワークステーション２１６Ａの一方の把持部２１６ａの外側の係止部２３６と洗浄器本体２１２の開口部２１２ａの外側との対向面の間に介在される。
他方の緩衝部材２５２は、手前側の第３緩衝部材２５２ａと向こう側の第４緩衝部材２５２ｂとに分かれており、第３緩衝部材２５２ａと第４緩衝部材２５２ｂとは、上下対称性を有している。第３緩衝部材２５２ａ及び第４緩衝部材２５２ｂは、ワークステーション２１６Ａの他方の把持部２１８ａの外側の係止部２３８と洗浄器本体２１２の開口部２１２ａの外側との対向面の間に介在されている。
この実施の形態においては、上下対称性は、ワークステーション２１６Ａの中心を通る長さ方向にのびる水平な直線Ｌ１のまわりにおける対称性をいい、左右対称性は、ワークステーション２１６Ａの中心を通る幅方向にのびる直線又は該直線と交わる鉛直線Ｌ２のまわりにおける対称性をいう（図１１参照）。
【００７５】
図１０及び１１に示すように、一方の緩衝部材２５０は、平面視で略円形状をしている。緩衝部材２５０の高さは、ワークステーション２１６Ａの一方の把持部２１６ａの外側の上面と洗浄器本体２１２の開口部２１２ａの外側の下面との間の距離より若干大きい寸法に設定されている。
同様に、他方の緩衝部材２５２は、平面視で略円形状をしている。他方の緩衝部材２５２の高さは、ワークステーション２１６Ａの他方の把持部２１８ａの外側の上面と洗浄器本体２１２の開口部２１２ａの外側の下面との間の距離より若干大きい寸法に設定されている。
なお、本実施形態の場合、緩衝部材２５０，２５２は、横断面が円形であるけれども、必ずしもこれに限定されるものではなく、仕様によっては、横断面が矩形のものなどが使用される。
【００７６】
凹状収容部２１４のワークステーション２１６Ａの下方には、凹状収容部２１４の一方の位置決め用溝２４１並びに位置決め用溝２４２及び他方の位置決め用溝２４３並びに位置決め用溝２４４を備えている。また、凹状収容部２１４のワークステーション２１６Ａの下方は、位置決め用溝２４１並びに位置決め用溝２４２及び位置決め用溝２４３並びに位置決め用溝２４４に、底板２７０の内側から突設された、位置決め部材２６０ａ，位置決め部材２６０ｂ，位置決め部材２６０ｃ及び位置決め部材２６０ｄを嵌合されている。位置決め部材２６０ａ，位置決め部材２６０ｂ，位置決め部材２６０ｃ及び位置決め部材２６０ｄは、同一の形状で、シリコンゴム等の弾力性を有する素材をもって円柱状に形成されている。これによって、凹状収容部２１４の洗浄器本体２１２の中における位置関係が決まる。
この実施の形態においては、位置決め用溝２４１及びそれに嵌合された位置決め部材２６０ａと位置決め用溝２４２及びそれに嵌合された位置決め部材２６０ｂとは、上下対称性を有している。
位置決め用溝２４３及びそれに嵌合された位置決め部材２６０ｃと位置決め用溝２４４及びそれに嵌合された位置決め部材２６０ｄとは、上下対称性を有している。
又、位置決め用溝２４１及びそれに嵌合された位置決め部材２６０ａと位置決め用溝２４３及びそれに嵌合された位置決め部材２６０ｃとは、左右対称性を有している。
位置決め用溝２４２及びそれに嵌合された位置決め部材２６０ｂと位置決め用溝２４４及びそれに嵌合された位置決め部材２６０ｄとは、左右対称性を有している。
而して、ワークステーション２１６Ａは、位置決め部材穴２４５，位置決め部材穴２４６，位置決め部材穴２４７及び位置決め部材穴２４８の上面との間及び底板２７０の上面との間に適宜な間隔が保持される。
【００７７】
さらに、洗浄器本体２１２内には、一方の位置決め用溝２４１並びに位置決め用溝２４２から洗浄器本体２１２の底面に到る位置決め部材穴２４５，２４６と、他方の位置決め用溝２４３並びに位置決め用溝２４４から洗浄器本体２１２の底面に到る位置決め部材穴２４７，２４８とが形成されている。図１２及び図１３に示すように、複数個形成された位置決め部材穴２４５，２４６は、平面視で、略半円環形状の一方の位置決め用溝２４１並びに位置決め用溝２４２の周方向にバランス良く配置されている。位置決め部材穴２４５，２４６は横断面が円形であり、その直径は、一方の位置決め用溝２４２の溝幅と等しい寸法に設定されている。
同様に、複数個形成された位置決め部材穴２４７，２４８も、平面視で、略半円環形状の他方の位置決め用溝２４３並びに位置決め用溝２４４の周方向にバランス良く配置されている。位置決め部材穴２４７，２４８は横断面が円形であり、その直径は、他方の位置決め用溝２４４の溝幅と等しい寸法に設定されている。
この実施の形態においては、位置決め部材穴２４５と位置決め部材穴２４６とは、上下対称性を有しており、位置決め部材穴２４７と位置決め部材穴２４８とは、上下対称性を有している。位置決め部材穴２４５と位置決め部材穴２４７とは、左右対称性を有しており、位置決め部材穴２４６と位置決め部材穴２４８とは、左右対称性を有している。
【００７８】
これら４個の位置決め部材穴２４５，２４６，２４７，２４８のそれぞれには、図１１及び図１３に示すように、位置決め部材２６０ａ，２６０ｂ，２６０ｃ，２６０ｄが軸方向に挿通され、圧縮された状態で装填されている。位置決め部材２６０ａ〜２６０ｄは、それぞれ、横断面が円形であり、その直径は位置決め部材穴２４５〜２４８の直径と同等又はそれよりわずかに長いシリコンゴムからなる柱状体であり、内装できるように構成されている。位置決め部材２６０ａ〜２６０ｄは、長さ方向を有し、その長さは、位置決め部材穴２４５〜２４８の長さより長くて、ワークステーション２１６Ａの下面と底板２７０の上面との間の平行関係を保ちつつ適宜な間隔（ギャップＳ４）を生じさせる寸法、すなわち装填された位置決め部材２６０ａ〜２６０ｄが位置決め用溝２４２及び位置決め用溝２４４の上面より若干突き出る寸法に設定されている。
【００７９】
レンズケース把持部材２１６の把持部２１６ａの凹湾曲面２１６ａ1とレンズケース把持部材２１６の凹湾曲面２１８ａ1との間の距離が、レンズケース１の長さより若干小さい寸法に設定されている。
また、凹湾曲面２１６ａ1，２１８ａ1の内周径は、レンズケース１の略円形の収容部２ａ，２ｂの外周径と同一か外周縁より若干小さい寸法に設定されている。この結果、レンズケース把持部材２１６は、対向する１対の凹湾曲面２１６ａ1と凹湾曲面２１８ａ1とによりレンズケース１を挟持することができ、レンズケース１を必要最小限の部材で効率良く、かつ、確実に把持することができる。
【００８０】
一方、レンズケース把持部材２１６の上端は開放端（自由端）であるため、レンズケース把持部材２１６は、いわゆる片持ち梁のような状態に近く、レンズケース把持部材２１６の上部側は水平振動自在である。この結果、後で説明するように、振動発生手段２２０の駆動によって、凹状収容部２１４内に収容されたレンズケース１と共に、レンズケース把持部材２１６の上側部を水平振動させることができる。
【００８１】
このとき、レンズケース把持部材２１６の把持部２１６ａの凸湾曲面（外側面）２１６ａ2の上側部分と、洗浄器本体２１２の上側部分との間には、振動しても両者の接触を防止できるだけの十分な寸法を有するギャップが確保されている。
より具体的には、凹状収容部２１４のストッパ部２４０の先端面２４０ａとレンズケース把持部材２１６の把持部２１６ａの凸湾曲面（外側面）２１６ａ2との間に形成されたギャップＳ１、並びに、レンズケース把持部材２１６の係止部２３６の先端面２３６ａと凹状収容部２１４の内周側壁２１４ａとの間に形成されたギャップＳ２は、レンズケース把持部材２１６が振動しても、レンズケース把持部材２１６と凹状収容部２１４の内周側壁２１４ａとの接触を防止できるだけの寸法に設定されている。
【００８２】
同様に、レンズケース把持部材２１６の把持部２１８ａの凸湾曲面（外側面）２１８ａ2の上側部分と、洗浄器本体２１２の上側部分との間には、振動しても両者の接触を防止できるだけの十分な寸法を有するギャップが確保されている。
より具体的には、凹状収容部２１４のストッパ部２４０の先端面２４０ａとレンズケース把持部材２１６の把持部２１８ａの凸湾曲面（外側面）２１８ａ2との間に形成されたギャップＳ１、並びに、レンズケース把持部材２１６の係止部２３８の先端面２３８ａと凹状収容部２１４の内周側壁２１４ａとの間に形成されたギャップＳ２は、レンズケース把持部材２１６が振動しても、レンズケース把持部材２１６と凹状収容部２１４の内周側壁２１４ａとの接触を防止できるだけの寸法に設定されている。
【００８３】
レンズケース把持部材２１６のワークステーション２１６Ａの下側部分と、洗浄器本体２１２の位置決め部材穴２４５，位置決め部材穴２４６，位置決め部材穴２４７及び位置決め部材穴２４８の上側部分との間には、振動しても両者の接触を防止できるだけの十分な寸法を有するギャップが確保されている。又、凹状収容部２１４のワークステーション２１６Ａの底面と洗浄器本体２１２の底板２７０との間には、振動しても両者の接触を防止できるだけの十分な寸法を有するギャップが確保されている。
より具体的には、洗浄器本体２１２の位置決め部材穴２４５，位置決め部材穴２４６，位置決め部材穴２４７及び位置決め部材穴２４８の上側面とレンズケース把持部材２１６のワークステーション２１６Ａの下側面との間に形成されたギャップＳ３、並びに、レンズケース把持部材２１６のワークステーション２１６Ａの下端面と底板２７０の上面との間に形成されたギャップＳ４は、レンズケース把持部材２１６が振動しても、レンズケース把持部材２１６と位置決め部材穴２４５，位置決め部材穴２４６，位置決め部材穴２４７及び位置決め部材穴２４８の上側との接触を防止できるだけの寸法に設定されている。
同様に、レンズケース把持部材２１６のワークステーション２１６Ａの下側部分と、洗浄器本体２１２の位置決め部材穴２４５，位置決め部材穴２４６，位置決め部材穴２４７及び位置決め部材穴２４８の上側部分との間には、振動しても両者の接触を防止できるだけの十分な寸法を有するギャップが確保されている。
より具体的には、洗浄器本体２１２の位置決め部材穴２４５，位置決め部材穴２４６，位置決め部材穴２４７及び位置決め部材穴２４８の上側面とレンズケース把持部材２１６のワークステーション２１６Ａの下側面との間に形成されたギャップＳ３、並びに、レンズケース把持部材２１６のワークステーション２１６Ａの下端面と底板２７０の上面との間に形成されたギャップＳ４は、レンズケース把持部材２１６が振動しても、レンズケース把持部材２１６と位置決め部材穴２４５，位置決め部材穴２４６，位置決め部材穴２４７及び位置決め部材穴２４８の上側との接触を防止できるだけの寸法に設定されている。
【００８４】
一方の位置決め部材２６０ａ，２６０ｂは、その上端がワークステーション２１６Ａの底面に圧接し、レンズケース把持部材２１６を付勢している。
同様に、他方の位置決め部材２６０ｃ，２６０ｄは、その上端がワークステーション２１６Ａの底面に圧接し、レンズケース把持部材２１６を付勢している。
一方の位置決め部材２６０ａ，２６０ｂと他方の位置決め部材２６０ｃ，２６０ｄとは、弾力、個数等が同じであり左右均等に付勢するように構成されている。
【００８５】
これによって、レンズケース把持部材２１６の係止部２３６の上面が、位置決め部材２６０ａ，２６０ｂの弾発力によって、緩衝部材２５０を介して、凹状収容部２１４のストッパ部２４０の下面を押圧している。従って、レンズケース把持部材２１６及び緩衝部材２５０の位置決めが確実となる。同様に、レンズケース把持部材２１６の係止部２３８の上面が、位置決め部材２６０ｃ，２６０ｄの弾発力によって、緩衝部材２５２を介して、凹状収容部２１４のストッパ部２４０の下面を押圧している。従って、レンズケース把持部材２１６及び緩衝部材２５２の位置決めが確実となる。ストッパ部２４０があるため、レンズケース把持部材２１６は、位置決め部材２６０ａ〜２６０ｄの弾発力によって付勢されても、洗浄器本体２１２から飛び出さない。
【００８６】
従って、レンズケース把持部材２１６は、緩衝部材２５０，２５２及び位置決め部材２６０ａ〜２６０ｄによって、いわゆる洗浄器本体２１２及び振動発生手段２０から浮き上がったような状態となる。その結果、振動発生手段２２０によって発生したレンズケース把持部材２１６及びレンズケース１の振動が、洗浄器本体２１２に伝わり難い構造が得られる。
【００８７】
振動発生手段２２０は、レンズケース把持部材２１６の連接部２１６ｂの中央に形成された振動発生手段支持部２１６ｄに配設され、振動発生手段支持部２１６ｄの上面に略均等の接触面積で直接に接触するように構成されている。振動発生手段２２０は、回転駆動軸を偏心させるなどした振動直流モータ（例えば、ミネベアモータ株式会社製、型式：ＫＨＮ４ＮＸ）からなる。振動直流モータ２２０は、例えば、９２００〜１１０００ｒｐｍの回転数で駆動することによって、凹状収容部２１４内に収容されたレンズケース１に略均等に振動を与え、レンズケース１を振動させる。
従って、レンズケース把持部材２１６の振動発生手段支持部２１６ｄに固定された振動発生手段２２０は、緩衝部材２５０，２５２及び位置決め部材２６０ａ〜２６０ｄによって、いわゆる洗浄器本体２１２から浮き上がったような状態となる。その結果、振動発生手段２２０によって発生したレンズケース把持部材２１６及びレンズケース１の振動が、洗浄器本体２１２に伝わり難い構造が得られる。
【００８８】
図１０，図１１及び図１２に示すように、洗浄器本体２１２の下部には、振動直流モータ２２０を駆動させるための電池２２２が配設されている。振動直流モータ２２０と電池２２２との間には、振動直流モータ２２０を制御する制御回路手段が電気的に接続されている。制御回路手段は、洗浄器本体２１２の上面に配設されているスイッチ２３０と、洗浄器本体２１２の内部に配設されているタイマー回路（図示せず）とを含む。タイマー回路は、スイッチ２３０を手動でＯＮ側へ移動させることによって、振動直流モータ２２０を所定時間（数分間〜数十分間）駆動させる。これによって、コンタクトレンズ６の表面の汚れ除去が自動的に行われる。あるいは、タイマー回路は、レンズケース１を凹状収容部２１４内にセットすると、それがトリガーとなって自動的にＯＮ状態になるように構成されていてもよい。このように、コンタクトレンズ洗浄器具２１０は、小型軽量の電池式装置であるので、携帯が可能である。
【００８９】
次に、以上の構成からなるコンタクトレンズ洗浄器具２１０の作用効果を説明する。
洗浄液８とコンタクトレンズ６を入れたレンズケース１は、コンタクトレンズ洗浄器具２１０の凹状収容部２１４に、水平状態に載置される。すなわち、蓋４ａ及び蓋４ｂを上にして、収容部２ａ及び収容部２ｂを水平面上に並置され且つ収容部２ａ及び収容部２ｂの開口部及び底部を略々水平に保たれた状態においてセットされる。
このとき、レンズケース把持部材２１６は、適度の柔軟性を有しているので、把持部２１６ａと把持部２１８ａとの間にレンズケース１を挿入することに伴って、レンズケース把持部材２１６の把持部２１６ａと把持部２１８ａとの間隔、及び、レンズケース把持部材２１６の把持部２１６ａ及び把持部２１８ａの凹湾曲面（内側面）２１６ａ1及び凹湾曲面（内側面）２１８ａ1の上側部分が若干広がり、レンズケース１が円滑に挿入される。そして、レンズケース１は、その左右両側部が凹湾曲面（内側面）２１６ａ1及び凹湾曲面（内側面）２１８ａ1の上側部分に接触した状態で、レンズケース把持部材２１６によって確実に把持される。
【００９０】
次に、コンタクトレンズ洗浄器具２１０上のスイッチ２３０がＯＮされると、タイマー回路によって振動直流モータ２２０が所定時間駆動される。振動直流モータ２２０によって発生した振動は、凹状収容部２１４内に収容されたレンズケース１を水平振動させる。洗浄液８は、振動することによって、コンタクトレンズ６の表面に微細な衝突を繰り返し、コンタクトレンズ６の表面に付着した汚れ（油脂成分やたんぱく質成分など）を除去する。すなわち、コンタクトレンズ６は擦り洗いされる。このとき、レンズケース１はレンズケース把持部材２１６によって確実に把持されているため、レンズケース１が、洗浄器本体２１２の凹状収容部２１４の内部を移動したり、あるいは、凹状収容部２１４の内部で飛び跳ねたりなどしない。そして、振動直流モータ２２０の振動が、効率良くレンズケース１（すなわち、洗浄液８）に伝わるので、洗浄効果が増大する。
【００９１】
ここで、レンズケース１は、レンズケース把持部材２１６の一方の把持部２１６ａ及び他方の把持部２１８ａの上側部分によって、一方の収容部２ａ及び他方の収容部２ｂを確実に把持されている。そのため、レンズケース１の振動は、レンズケース把持部材２１６の把持部２１６ａ及び把持部２１８ａの上側部分の同調振動をもたらす。
しかも、レンズケース把持部材２１６の係止部２３６，２３８と凹状収容部２１４のストッパ部２４０との間に配設している緩衝部材２５０，２５２によって、レンズケース把持部材２１６の把持部２１６ａ及び把持部２１８ａの上側部分の振動は、効率良く吸収できる。さらに、位置決め部材２６０ａ〜２６０ｄによっても、レンズケース把持部材２１６に伝達された振動が吸収され、より一層、振動が洗浄器本体２１２に伝達されることを防止できる。
【００９２】
一方、位置決め部材２６０ａ，２６０ｂ，２６０ｃ，及び２６０ｄは、それぞれ、ワークステーション２１６Ａに形成された位置決め用溝２４１，２４２，２４３，２４４によって位置決めされている。このため、レンズケース把持部材２１６は、位置決め部材２６０ａ，２６０ｂ，２６０ｃ，及び２６０ｄを支点した片持ち梁振動のような動作をする。このとき、レンズケース把持部材２１６の把持部２１６ａ及び把持部２１８ａの凸湾曲面（外側面）２１６ａ2，２１８ａ2の上側部分と、洗浄器本体２１２の上側部分との間には、振動しても両者の接触を防止できるだけの十分な寸法を有するギャップＳ１，Ｓ２が確保されているので、両者は接触しない。レンズケース把持部材２１６の把持部２１６ａ及び把持部２１８ａの外側と位置決め用溝２４１並びに２４２及び位置決め用溝２４３並びに２４４の内側面との間並びにレンズケース把持部材２１６の連接部２１６ｂと凹状収容部２１４の底壁２１４ｂとの間には、振動しても両者の接触を防止できるだけの十分な寸法を有するギャップＳ３，Ｓ４が確保されている。
この結果、振動直流モータ２２０によって発生した振動が洗浄器本体２１２に伝わらないので、コンタクトレンズ洗浄器具２１０の振動を防止できる。
しかも、振動直流モータ２２０によって発生した振動が、位置決め部材２６０ａ〜２６０ｄ及び弾性足部材２６２に吸収されるため、卓上に置いたコンタクトレンズ洗浄器具２１０は、振動による移動ずれを生じない。
【００９３】
次に、レンズケース１は、所定時間の振動の後、振動直流モータ２２０の停止によって静止し、数時間（例えば４時間以上）放置される。この間、コンタクトレンズ６は、洗浄液８に浸漬された状態である。こうして、コンタクトレンズ６の表面は洗浄される。レンズケース１は、定期的に新しいものに交換することができ、レンズケース１の経年汚染による洗浄不十分も発生しない。
【符号の説明】
【００９４】
１  レンズケース
２  ケース本体
２ａ，２ｂ  収容部
２ｃ  連結部
４ａ，４ｂ  蓋
６  コンタクトレンズ
８  洗浄液
１０，２１０  コンタクトレンズ洗浄器具
１２，２１２  洗浄器本体
１２ａ，２１２ａ  開口部
１４，２１４  凹状収容部
１４ａ，２１４ａ  内周側壁
１４ｂ，２１４ｂ  底壁
２１４ｃ，２１４ｄ，２１４ｅ，２１４ｆ  嵌合突起
１６，２１６  レンズケース把持部材
１６ａ，１８ａ，２１６ａ，２１８ａ  把持部
１６ａ1，１８ａ1，２１６ａ1，２１８ａ1  凹湾曲面（内側面）
１６ａ2，１８ａ2，２１６ａ2，２１８ａ2  凸湾曲面（外側面）
１６ｂ，２１６ｂ  連接部
１６ｃ，１８ｃ  足部
１６ｄ，２１６ｄ  振動発生手段支持部
２１６Ａ  ワークステーション
２０，１２０，２２０  振動発生手段（振動直流モータ）
２２，２２２  電池
３０，２３０  スイッチ
３６，３８，２３６，２３８  係止部
３６ａ，３８ａ，４０ａ，２３６ａ，２３８ａ，２４０ａ  先端面
４０，２４０  ストッパ部
４２，４４，２４２，２４４  位置決め用溝
４５，４６，４７，４８，２４５，２４６，２４７，２４８  位置決め部材穴
５０，５２，２５０，２５２  緩衝部材
６０ａ，６０ｂ，６０ｃ，６０ｄ，２６０ａ，２６０ｂ，２６０ｃ，２６０ｄ  位置決め部材
６２，２６２  弾性足部材
２５０ａ  第１緩衝部材
２５０ｂ  第２緩衝部材
２５２ａ  第３緩衝部材
２５２ｂ  第４緩衝部材
２７０  底板
２７２  取付シャフト
２７２ａ  第１シャフト
２７２ｂ  第２シャフト
２７２ｃ  第３シャフト
２７４  嵌合溝
２７４ａ  第１嵌合溝
２７４ｂ  第２嵌合溝
２７４ｃ  第３嵌合溝
２７４ｄ  第４嵌合溝
Ｓ１，Ｓ２，Ｓ３，Ｓ４  ギャップ
【図１】
2013011876.tif 000003
【図２】
2013011876.tif 000004
【図３】
2013011876.tif 000005
【図４】
2013011876.tif 000006
【図５】
2013011876.tif 000007
【図６】
2013011876.tif 000008
【図７】
2013011876.tif 000009
【図８】
2013011876.tif 000010
【図９】
2013011876.tif 000011
【図１０】
2013011876.tif 000012
【図１１】
2013011876.tif 000013
【図１２】
2013011876.tif 000014
【図１３】
2013011876.tif 000015
【手続補正書】
【提出日】平成24年6月4日(2012.6.4)
【手続補正１】
【補正対象書類名】明細書
【補正対象項目名】００１０
【補正方法】変更
【補正の内容】
【００１０】
また、本発明は、凹状収容部は平面視で長円形であり、レンズケース把持部材は１組の略半円環状把持部を形成され、略半円環状把持部は、それぞれ凹状収容部の内側の両端部において対向して配置されていること、を特徴とする、コンタクトレンズ洗浄器具である。
【手続補正２】
【補正対象書類名】明細書
【補正対象項目名】００１１
【補正方法】変更
【補正の内容】
【００１１】
本発明では、対向する１組の略半円環の内側の凹湾曲面にて、レンズケースを挟持するため、必要最小限の部材で効率良くレンズケースが把持される。
【手続補正３】
【補正対象書類名】明細書
【補正対象項目名】００３４
【補正方法】変更
【補正の内容】
【００３４】
レンズケース把持部材１６は、それぞれ略半円環形状で左右対称形に形成された把持部１６ａ及び把持部１８ａを備えている。一方の把持部１６ａと他方の把持部１８ａとは、凹状収容部１４の内側の両端部の位置に、レンズケース把持部材１６の一方の把持部１６ａの凹湾曲面１６ａ1と他方の把持部１８ａの凹湾曲面１８ａ1とを内側にして、凹湾曲面１６ａ1と凹湾曲面１８ａ1とを対向して配置されている。
レンズケース把持部材１６は、凹状収容部１４内に収容されるレンズケース１を把持するためのものであり、適度の柔軟性を有する樹脂材で作成されている。
一方の把持部１６ａと他方の把持部１８ａとは、下部において、連接部１６ｂにより連結されている。
【手続補正４】
【補正対象書類名】明細書
【補正対象項目名】００７１
【補正方法】変更
【補正の内容】
【００７１】
レンズケース把持部材２１６は、それぞれ略半円環形状で左右対称形に形成された把持部２１６ａと把持部２１８ａとを備えている。一方の把持部２１６ａと他方の把持部２１８ａとは、凹状収容部２１４の内側の両端部の位置に、レンズケース把持部材２１６の一方の把持部２１６ａの凹湾曲面２１６ａ1と他方の把持部２１８ａの凹湾曲面２１８ａ1とを内側にして、凹湾曲面２１６ａ1と凹湾曲面２１８ａ1とを対向して配置されている。
レンズケース把持部材２１６は、凹状収容部２１４内に収容されるレンズケース１を把持するためのものであり、適度の柔軟性を有する樹脂材で作成されている。
一方の把持部２１６ａと他方の把持部２１８ａとは、下部において、ワークステーション２１６Ａにより連結されている。
【手続補正５】
【補正対象書類名】特許請求の範囲
【補正対象項目名】全文
【補正方法】変更
【補正の内容】
【特許請求の範囲】
【請求項１】
洗浄器本体と、
前記洗浄器本体の上部に設けた、コンタクトレンズと洗浄液とを収容したレンズケースを収容するための凹状収容部と、
前記凹状収容部の内側に設けられ、前記凹状収容部内に収容された前記レンズケースを把持するレンズケース把持部材と、
前記凹状収容部内に収容された前記レンズケースに振動を与える振動発生手段と、
を備えたこと、を特徴とする、コンタクトレンズ洗浄器具。
【請求項２】
前記凹状収容部は平面視で長円形であり、前記レンズケース把持部材は１組の略半円環状把持部を形成され、前記略半円環状把持部は、それぞれ前記凹状収容部の内側の両端部において対向して配置されていること、を特徴とする、請求項１に記載のコンタクトレンズ洗浄器具。
【請求項３】
前記凹状収容部と前記レンズケース把持部材との間に設けられた、前記振動発生手段の振動が前記洗浄器本体に伝達されるのを防止するための緩衝部材をさらに備えたこと、を特徴とする、請求項１または請求項２に記載のコンタクトレンズ洗浄器具。
【請求項４】
前記凹状収容部の内側に設けたストッパ部と、前記レンズケース把持部材の外側に設けた係止部とが、垂直方向において、前記緩衝部材を間に配設して対向していること、を特徴とする、請求項３に記載のコンタクトレンズ洗浄器具。
【請求項５】
前記レンズケース把持部材の底部を一方の端部で付勢する弾性部材を備え、前記弾性部材の弾性力によって、前記レンズケース把持部材の係止部が、前記緩衝部材を介して、前記凹状収容部のストッパ部を押圧していること、を特徴とする、請求項４に記載のコンタクトレンズ洗浄器具。
【請求項６】
前記弾性部材は、長さ方向を有する弾性ばね、シリコンゴムからなり、長さ方向における上端で前記レンズケース把持部材を支持し、前記レンズケース把持部材と前記凹状収容部との間にギャップを有するように前記洗浄器本体に内装されていること、を特徴とする、請求項５に記載のコンタクトレンズ洗浄器具。
【請求項７】
前記弾性部材の他方の端部が、前記洗浄器本体の底部に設けた弾性足部材に圧接していること、を特徴とする、請求項５又は６に記載のコンタクトレンズ洗浄器具。
【請求項８】
前記振動発生手段を制御する制御回路手段をさらに備えたこと、を特徴とする、請求項１ないし請求項７のいずれかに記載のコンタクトレンズ洗浄器具。
【請求項９】
前記洗浄器本体の凹状収容部は、上方が開口され、水平状態に載置された前記レンズケースと垂直状にのびる前記レンズケース把持部材の平面視形状とを合わせた、前記レンズケース及び前記レンズケース把持部材を収容するために十分な底壁面積を有し、且つ、前記レンズケース把持部材の外側部分と、前記洗浄器本体の凹状収容部の内側部分との間に、前記レンズケース把持部材が振動しても両者の接触を防止できるだけのギャップを確保するように構成されている、ことを特徴とする、請求項１ないし請求項８のいずれかに記載のコンタクトレンズ洗浄器具。
【請求項１０】
前記レンズケース把持部材は、前記レンズケース把持部材の外側部分と、前記洗浄器本体の凹状収容部の内側部分との間に、前記レンズケース把持部材が振動しても両者の接触を防止できるだけのギャップを確保するように構成されている、ことを特徴とする、請求項１ないし請求項９のいずれかに記載のコンタクトレンズ洗浄器具。